(57)【要約】【課題】この発明は、標識シートとしての機能を有すると共に、掘削機械や削孔機械の掘削／削孔アタッチメントからの打撃に対しても埋設管を防護することができる標識防護シートに関する。【解決手段】埋設管の上方で地中に埋設される標識防護シートであって、可撓性を有する金属製の芯材と、標識表示部を有し、上記芯材の少なくとも表面側を覆うように一体に固着したカバーシートとからなることを特徴とする。これにより手作業だけでなく掘削機械により打撃が加えられても、帯状に敷設された標識防護シートの芯材が撓みながらも破けることなく上記打撃を受けて標識防護シートだけで保護することができる。【選択図】  図１
2005024012.tif 000002
【特許請求の範囲】
【請求項１】
埋設管の上方で地中に埋設される標識防護シートであって、
可撓性を有するプレート状で金属製の芯材と、
標識表示部を有し、上記芯材の少なくとも表面側を覆うように一体に固着した耐水性を有するカバーシートとからなることを特徴とする標識防護シート。
【請求項２】
芯材の表面側と裏面側とが、カバーシートに覆われていることを特徴とする請求項１に記載の標識防護シート。
【請求項３】
芯材が、金属製のワイヤーの金網、またはパンチングメタルからなっていることを特徴とする請求項１または２に記載の標識防護シート。
【請求項４】
芯材が錆びないように、芯材に防錆手段が設けられ、または、芯材がカバーシート中に密封されて防錆されていることを特徴とする請求項１から３に記載のいずれかの標識防護シート。
【発明の詳細な説明】
【０００１】
【発明の属する技術分野】
この発明は、埋設管に対する掘削作業時の衝撃による管路の損傷を防護するために用いる標識防護シートに関する。
【０００２】
【従来の技術】
ガス等の流体を給送するために地中に敷設されている埋設配管には、地震や地盤の不等沈下等による破損を防止するために、金属管に代えてポリエチレン製等の合成樹脂管が多く使用されている。
これらの埋設配管は、図に示すように、その位置を明示するために、配管の上方の離間位置に「ガス管注意」などの標識を表示した標識シートを敷設して埋設している。
このような地中に埋設されている合成樹脂製の埋設管は、建築工事や土木工事などで掘削機械や削孔機械の作業装置によって損傷を受けやすいため、重要な配管には、更にその上方に鉄板等を敷いて、防護している。
しかし、このように標識シートと鉄板等の防護板とを二重に埋設する構造は、設置作業に手間がかかり、また費用もかさむという欠点がある。
そこで、例えば、配管防護構造として、埋設管の外表面に掘削機械等の掘削部材による衝撃力を吸収緩和する防護シートを装着すると共に、該防護シートの上部に標識シートを敷設して前記埋設管に対する衝撃による管路の損傷を防護する構成が開示されている（特許文献１）。
しかし、上記構成でも、防護シートと標識シートとが必要となり、防護機能と標識機能とを分けており、二種類のシートを用いる必要がある。
また、標識シートには防護機能は無く、埋設管の外表面に沿って装着した防護シートだけで外的衝撃に対処しているので、標識シートが見過ごされた場合には十分な防護にならない。
また、配管用防護シートとして、合成樹脂製の３層構造の編織布を複数枚積層して一体に接合した構造も知られている（特許文献２）。
しかし、これらは手作業用の掘削工具には効果的であるが、掘削機械のショベル先端のエッジやツース、更には削孔装置のドリルビットなどの進入に対しては、これを十分に防ぐことができず埋設管を損傷する虞れがあり、十分な防護手段にはならない。
【０００３】
【特許文献１】特開平７−１６７３７３号  公報２頁右欄１８〜４０行および図１参照
【特許文献２】特開２００１−３５５７５８  公報３頁右欄２〜２９行および図１参照
【０００４】
【発明が解決しようとする課題】
この発明は、上記問題点を解決するために鋭意研究の結果創案されたものであって、その主たる課題は、標識シートとしての機能を有すると共に、手作業用の掘削工具に限らず、掘削機械や削孔機械の掘削または削孔アタッチメントからの打撃に対しても埋設管を防護することができる標識防護シートを提供することにある。
【０００５】
【課題を解決するための手段】
上記課題を解決するために、請求項１の発明では、
埋設管の上方で地中に埋設される標識防護シートであって、
可撓性を有するプレート状で金属製の芯材と、標識表示部を有し、上記芯材の少なくとも表面側を覆うように一体に固着した耐水性を有するカバーシートとからなる、という技術的手段を講じている。
また、請求項２の発明では、
前記芯材の表面側と裏面側とが、カバーシートに覆われている、という技術的手段を講じている。
更に、請求項３の発明では、
前記芯材が、金属製のワイヤーの金網、またはパンチングメタルからなっている、という技術的手段を講じている。
また、請求項４の発明では、
前記芯材が錆びないように、芯材に防錆手段が設けられ、または、芯材がカバーシート中に密封されて防錆されている、という技術的手段を講じている。
【０００６】
【発明の実施の形態】
以下に、この発明の標識防護シートの好適実施例を図面を参照しながら説明する。
図１および図２に一例を示す標識防護シート１は、可撓性を有するプレート状で金属製の芯材２と、標識表示部６を有する合成樹脂製のカバーシート５とからなっており、該カバーシート５は、上記芯材２の表面側を覆うように一体に固着される。
【０００７】
前記芯材２は、本実施例では直径５ｍｍ程度の金属製のワイヤーを用いて製作した金網で長方形に形成されているが、用途に応じた強度を有するものであれば上記形状、寸法に限定されない。
【０００８】
また、前記カバーシート５は、表面に標識表示部６を有するポリエチレンやポリプロピレン等の合成樹脂繊維で編織された布材からなるが、この発明では上記素材に限らず地中での耐久性、耐水性を有する素材であればよく、合成樹脂のフィルムや、天然または合成繊維を用いた布または紙材でもよい。
【０００９】
標識表示部６には、埋設管を示す標識が表示されるが、図示例では一例として「ガス管注意」の文字を表示しており、弗素などを塗布して平滑性を持たせたり、ラミネート加工により表示を消えにくくしてもよい。
【００１０】
そして、前記芯材２の上面に、標識表示部６が上を向くようにカバーシート５を一体に固着する（図２参照）。
固着方法は特に限定されないが、接着剤で接着し、あるいは適宜個所を細いワイヤや紐（図２中、符号８）で両者を結着ないし縫着する方法、または結着具や係止具で固定したり掛止具で掛止める方法などでもよいし、カバーシート５にベルトまたは紐を取り付けて芯材２をカバーシート５に固定するなどの方法でもよい。
【００１１】
次ぎに、図３および図４に示す標識防護シート１は、可撓性を有する金属製の芯材２の表面側と裏面側とが、カバーシート５に覆われて一体に固着された構成からなっている。
表面側のカバーシート５には、標識表示部６が形成されている必要があるが、表面側と裏面側のカバーシート５は、同一のものでもよいし、あるいは異なるものでもよい。
【００１２】
そして、芯材２を上下のカバーシート５、５で挟み込んで一体に固着して標識防護シート１となっている。
ここで芯材２とカバーシート５、５との固定手段は前記実施例と同様である。また、カバーシート５は、分離したものを上下に配置するだけでなく、図５に令したように、袋状に形成して、その中に芯材２を嵌め込むようにしてもよい。
【００１３】
前記芯材２は、金属製であるので、地中で錆びないように防錆手段を講じることが好ましい。
例えば、芯材２の素材をステンレスなどの耐水素材としたり、芯材２のワイヤーをプラスチックのチューブで覆ったり、ワイヤーやプレートを合成樹脂製皮膜で被覆したり、芯材２の表面に防錆加工を施すなどの手段がある。
また、例えば、カバーシート５を防水素材として、芯材２を密封して防水としたり、別体のプラスチックフィルムの袋に芯材２を入れるなどの方法を用いてもよい。
このように形成された標識防護シート１は、可撓性を有し、ロール状の巻くことができるので嵩張らずに保管したり、現場まで移送することができる。
【００１４】
この標識防護シート１は、図６に示すように、埋設配管１０の上方に離隔して略水平に敷設して使用する。
ここで、埋設配管１０は、一例としての中圧Ｂ導管であって、柔軟性ないし可撓性を有するポリエチレン等の合成樹脂材料により構成されている。
また、図示例では、図２の標識防護シート１を例にして使用例を説明するが、他の実施例の標識防護シート１を用いても同じである。
【００１５】
このように埋設配管１０の上部に標識防護シート１が略水平に敷設されているから、掘削作業にあたって、埋設配管１０の埋設位置の近傍まで掘削が行われると、敷設されいる標識防護シート１が埋設配管１０より先に露出して見つけることができる。
【００１６】
また、これが見過ごされて、掘削機械や削孔機械の掘削または削孔アタッチメントから打撃が標識防護シート１に加えられても、該標識防護シート１の芯材２が撓みながらこの打撃を受けるので、前記アタッチメントが標識防護シート１を破って埋設配管１０に達することはないので、強力に保護することができる。
【００１７】
そのために、標識防護シート１は、埋設配管１０の幅より広い幅で、埋設配管１０を覆い隠すようにほぼ水平に敷設することが好ましく、また埋設配管１０に対して、前記打撃時に撓む長さに余裕を持たせた間隔に離隔することが好ましい。
【００１８】
また、標識防護シート１は、図７に示すように、埋設配管１０の上端に接するように広げた状態で配置してもよい。
この場合、標識防護シート１は、埋設配管１０との間に土砂層が介在しないが埋設配管１０と一部で接しているので、埋設配管１０の位置がわかりやすい。
また、いずれの場合も、従来のように埋設配管１０に防護シートを巻き付ける必要もない。
この発明は、上記実施例の構成に限定されるものではなく、要するにこの発明の要旨を変更しない範囲で種々設計変更しうること勿論である。
【００１９】
【発明の効果】
この発明では、標識防護シートに金属製の芯材を用いたので、掘削工具や掘削機械などにより打撃が加えられても、プレート状に敷設された標識防護シートの芯材が撓みながらも破けることなく上記打撃を受けて標識防護シートだけで保護することができる。
また、削孔機械によるドリルビットのような打撃に対しては、芯材がワイヤからなる場合に、絡みついてボーリングの継続を困難にして、埋設管の損傷を低減することができる。
更に、シートにアルミ箔などを塗着しなくても、芯材がロケーターワイヤーの役割を果たすことができるので、ロケーターによる埋設管の埋設位置検知を容易に行なうことができる。
また、この標識防護シートは可撓性を有するので、ロール状に撓ませて、保管や移動が行えるため、鉄板を用いる場合に比べて作業性が向上する。
【図面の簡単な説明】
【図１】標識防護シートの第１実施例の取付状態を示す斜視図である。
【図２】第１実施例の標識防護シートの断面図である。
【図３】標識防護シートの第２実施例の取付状態を示す斜視図である。
【図４】第２実施例の標識防護シートの断面図である。
【図５】カバーシートを袋状にして芯材を収納した状態の断面図である。
【図６】標識防護シートの使用例を示す断面図である。
【図７】標識防護シートの異なる配置例を示す断面図である。
【符号の説明】
１      標識防護シート              ６      標識表示部
２      芯材                      １０      埋設管
５      カバーシート
【図１】
2005024012.tif 000003
【図２】
2005024012.tif 000004
【図３】
2005024012.tif 000005
【図４】
2005024012.tif 000006
【図５】
2005024012.tif 000007
【図６】
2005024012.tif 000008
【図７】
2005024012.tif 000009